(57)【特許請求の範囲】
【請求項１】
複数の情報表示装置を含んで構成される情報表示システムであって、
情報表示装置に設けられ、周囲の状況である状況情報を取得する周囲状況取得部と、
情報表示装置に設けられ、前記周囲状況取得部が取得した前記状況情報を送信する通信部と、
情報表示装置の前記周囲状況取得部が取得した前記状況情報に基づいて、別の情報表示装置の位置を考慮しつつ、当該別の情報表示装置が表示する広告を決定する表示情報決定部と、
情報表示装置に設けられ、前記表示情報決定部が決定した広告を表示する表示部と、
前記表示部に表示する広告の内容、及び、前記周囲状況取得部が取得した前記状況情報を通知する通知部と、
を備え、
前記周囲状況取得部の少なくとも１つは、アクセスポイント装置であり、
前記表示情報決定部は、情報表示装置に設けられた前記アクセスポイント装置に接続中の端末数又は前記アクセスポイント装置による通信の混雑状況に基づいて、別の情報表示装置が表示する広告を決定し、
前記通知部は、前記アクセスポイント装置に接続した通信端末の数を前記状況情報として通知することを特徴とする情報表示システム。
【請求項２】
請求項１に記載の情報表示システムであって、
前記表示情報決定部は、当該状況情報が取得された位置を考慮しつつ、情報表示装置が表示する広告を決定することを特徴とする情報表示システム。
【請求項３】
請求項１又は２に記載の情報表示システムであって、
情報表示装置を管理する管理サーバを備え、
前記管理サーバは、
前記表示情報決定部と、
情報表示装置から前記状況情報を受信する受信部と、
複数の情報表示装置と、当該情報表示装置が取得した前記状況情報と、を対応付けて記憶する記憶部と、
を備えることを特徴とする情報表示システム。
【請求項４】
請求項１又は２に記載の情報表示システムであって、
情報表示装置の前記通信部は、他の情報表示装置と前記状況情報を送受信し、
前記表示情報決定部は、情報表示装置に設けられることを特徴とする情報表示システム。
【請求項５】
請求項１から４までの何れか一項に記載の情報表示システムであって、
前記周囲状況取得部は、前記アクセスポイント装置に加え、カメラ、温度計のうち少なくとも一方を含むことを特徴とする情報表示システム。
【請求項６】
請求項１から５までの何れか一項に記載の情報表示システムであって、
情報表示装置のうち少なくとも２つは、表示領域の大きさが異なり、
前記表示情報決定部は、表示領域の大きさに応じて、情報表示装置に表示する広告を決定することを特徴とする情報表示システム。
【請求項７】
請求項６に記載の情報表示システムであって、
表示領域の大きさが異なる少なくとも２つの情報表示装置において、
表示領域が大きい方の前記表示部では、対象製品の購買意欲を向上させる内容、又は、当該対象製品の取扱いがあることを含んだ広告が表示され、
表示領域が小さい方の前記表示部では、前記対象製品の販売位置、又は、当該対象製品の具体的な製品名を含んだ広告が表示されることを特徴とする情報表示システム。
【発明の詳細な説明】
【技術分野】
【０００１】
本発明は、主要には、所定の情報を表示する情報表示装置を複数含んで構成される情報表示システムに関する。
【背景技術】
【０００２】
従来から、中継装置として、無線又は有線のルータや、アクセスポイント装置が知られている。ルータは、ネットワーク同士を接続する装置であり、例えばＬＡＮとＷＡＮ（インターネット）とを接続する。アクセスポイント装置は、ノートパソコンやスマートフォン等の通信端末をインターネットに接続するための装置である。具体的には、アクセスポイント装置は、通信端末と無線で接続されるとともに、ルータと有線又は無線で接続される。特許文献１及び２は、アクセスポイント装置を用いた発明を開示する。
【０００３】
特許文献１には、アクセスポイント装置（無線ＬＡＮアクセスポイント）を用いてインターネット接続を提供するサービスを行うシステムが開示されている。また、特許文献１は、正当な利用者のみがアクセスポイント装置を利用できるように、ＳＳＩＤ及びパスワードを設定する構成や、ログインＩＤ及びパスワードによって利用者を認証する構成を開示する。
【０００４】
特許文献２は、複数のアクセスポイント装置と、位置情報管理ＤＢと、顧客ＤＢと、を備える位置情報管理システムを開示する。アクセスポイント装置には、予め自機の設置位置が記憶されている。また、アクセスポイント装置は、通信端末（無線ＬＡＮ移動端末）をインターネットに接続したときに、自機（アクセスポイント装置）の設置位置と、通信端末のＭＡＣアドレスと、を位置情報管理ＤＢへ送信する。また、顧客ＤＢには、利用者のＩＤと、ＭＡＣアドレスと、が対応付けて記憶されている。従って、位置情報管理ＤＢは、顧客ＤＢにアクセスすることで、アクセスポイント装置から受信したＭＡＣアドレスに基づいて、利用者のＩＤを特定することができる。以上により、利用者がどの位置にいるかを把握することができるので、例えば位置に応じた情報を利用者に提供することができる。
【先行技術文献】
【特許文献】
【０００５】
【特許文献１】特開２００３−３１８９９１号公報
【特許文献２】特開２００４−８８４４０号公報
【発明の概要】
【発明が解決しようとする課題】
【０００６】
ところで、広告等の情報を表示する方法として、例えば、駅や街頭等に設置した表示装置に情報を表示する方法と、特許文献２のように利用者の通信端末に情報を表示する方法と、が考えられる。
【０００７】
表示装置に情報を表示する方法を用いると、例えば広いスペースを確保できる場合、大きなディスプレイを用いることができる。従って、多数の人に広告を見てもらうことができる。しかし、この種の表示装置は、一般的には、予め定められたスケジュールで広告を表示する構成である。従って、状況に応じて広告を変化させることはできない。
【０００８】
一方、通信端末に情報を表示する方法を用いた場合は、ログインＩＤや位置情報等の状況に応じた情報を利用者に提供できる。しかし、この構成は、利用者（通常は１人）だけに広告を表示する構成であり、サービスを利用していない人に広告を見てもらうことができない。
【０００９】
本発明は以上の事情に鑑みてされたものであり、その目的は、状況に応じて情報を変更可能にしつつ、多数の人に広告等の情報を見てもらうことが可能な情報表示システムを提供することにある。
【課題を解決するための手段及び効果】
【００１０】
本発明の解決しようとする課題は以上の如くであり、次にこの課題を解決するための手段とその効果を説明する。
【００１１】
本発明の第１の観点によれば、以下の構成の情報表示システムが提供される。即ち、この情報表示システムは、複数の情報表示装置を含んで構成され、周囲状況取得部と、通信部と、表示情報決定部と、表示部と、通知部と、を備える。前記周囲状況取得部は、情報表示装置に設けられ、周囲の状況である状況情報を取得する。前記通信部は、情報表示装置に設けられ、前記周囲状況取得部が取得した前記状況情報を送信する。前記表示情報決定部は、情報表示装置の前記周囲状況取得部が取得した前記状況情報に基づいて、別の情報表示装置の位置を考慮しつつ、当該別の情報表示装置が表示する表示情報を決定する。前記表示部は、情報表示装置に設けられ、前記表示情報決定部が決定した情報を表示する。前記通知部は、前記表示部に表示する広告の内容、及び、前記周囲状況取得部が取得した前記状況情報を通知する。前記周囲状況取得部の少なくとも１つは、アクセスポイント装置である。前記表示情報決定部は、情報表示装置に設けられた前記アクセスポイント装置に接続中の端末数又は前記アクセスポイント装置による通信の混雑状況に基づいて、別の情報表示装置が表示する表示情報を決定する。前記通知部は、前記アクセスポイント装置に接続した通信端末の数を前記状況情報として通知する。
【００１２】
これにより、情報表示装置は、物理的に離れた位置（他の情報表示装置の設置位置）の状況に応じて、表示情報を変更することができる。従って、情報表示装置は、例えば、必要な情報を前もって表示しておくことができる。また、表示情報を通知することで、通知を受けた人に、表示部の広告の内容に応じた対応を即座に行わせることができる。従って、例えば表示部に商品の情報を表示した場合、当該商品を売るスペースを拡張したり、当該商品の問い合わせに対応する人数を増やしたりすることができる。また、状況情報を通知することで、通知を受けた人に、周囲の状況を知らせることができる。例えば状況情報として周囲にいる人の数を知らせる場合、広告を見た人の数を広告主側に提供できる。
【００１３】
前記の情報表示システムにおいては、前記表示情報決定部は、当該状況情報が取得された位置を考慮しつつ、情報表示装置が表示する広告を決定することが好ましい。
【００１４】
これにより、情報表示装置の位置に応じた適切な情報を情報表示装置に表示させることができる。
【００１５】
前記の情報表示システムにおいては、以下の構成とすることが好ましい。即ち、この情報表示システムは、情報表示装置を管理する管理サーバを備える。前記管理サーバは、前記表示情報決定部と、受信部と、記憶部と、を備える。前記受信部は、情報表示装置から前記状況情報を受信する。前記記憶部は、複数の情報表示装置と、当該情報表示装置が取得した前記状況情報と、を対応付けて記憶する。
【００１６】
これにより、状況情報を管理サーバに集約することができるので、状況情報を効率的に管理できる。また、管理サーバに表示情報決定部が設けられるので、集約した状況情報に基づいて、それぞれの情報表示装置に表示させる内容を決定することができる。
【００１７】
前記の情報表示システムにおいては、以下の構成とすることが好ましい。即ち、情報表示装置の前記通信部は、他の情報表示装置と前記状況情報を送受信する。前記表示情報決定部は、情報表示装置に設けられる。
【００１８】
これにより、管理サーバを設けることなく情報表示システムを構築できるので、システムの構成をシンプルにすることができる。
【００１９】
前記の情報表示システムにおいては、前記周囲状況取得部は、前記アクセスポイント装置に加え、カメラ、温度計のうち少なくとも一方を含むことが好ましい。
【００２０】
これにより、アクセスポイントの利用者数、周囲の映像、周囲の温度等に応じて、情報表示装置の表示情報を決定することができる。
【００２１】
前記の情報表示システムにおいては、以下の構成とすることが好ましい。即ち、情報表示装置のうち少なくとも２つは、表示領域の大きさが異なる。前記表示情報決定部は、表示領域の大きさに応じて、情報表示装置に表示する広告を決定する。
【００２２】
これにより、表示領域の大きさの違いを考慮した運用が可能となる。例えば、大きい表示領域の表示部には迫力のある映像を流す一方で、小さい表示領域の表示部には２次元バーコードを表示したりすること等が可能となる。
【００２３】
前記の情報表示システムにおいては、以下の構成とすることが好ましい。即ち、表示領域の大きさが異なる少なくとも２つの情報表示装置において、表示領域が大きい方の前記表示部では、対象製品の購買意欲を向上させる内容、又は、当該対象製品の取扱いがあることを含んだ広告が表示される。また、表示領域が小さい方の前記表示部では、前記対象製品の販売位置、又は、当該対象製品の具体的な製品名を含んだ広告が表示される。
【００２５】
前記の情報表示システムにおいては、前記表示部に表示する情報が広告であることが好ましい。
【００２６】
これにより、情報表示装置は、物理的に離れた位置（他の情報表示装置の設置位置）の状況に応じて、広告を表示することができる。例えば、屋外の情報表示装置が降雨を検出したときに、屋内の情報表示装置にその旨を表示して、利用者に傘を買ってもらうことが可能となる。
【００２７】
本発明の第２の観点によれば、以下の構成の情報表示装置が提供される。即ち、この情報表示装置は、周囲状況取得部と、通信部と、表示部と、を備える。前記周囲状況取得部は、周囲の状況である状況情報を取得する。前記通信部は、前記周囲状況取得部が取得した前記状況情報を送信する。前記表示部は、別の情報表示装置に設けられた前記周囲状況取得部が取得した前記状況情報に基づいて決定された表示情報を表示する。別の情報表示装置に設けられた前記周囲状況取得部の少なくとも１つは、アクセスポイント装置である。前記表示部は、別の情報表示装置に設けられた前記アクセスポイント装置に接続中の端末数又は前記アクセスポイント装置による通信の混雑状況に基づいて決定された表示情報を表示する。
【００２８】
これにより、情報表示装置は、物理的に離れた位置（他の情報表示装置の設置位置）の状況に応じて、表示情報を変更することができる。従って、情報表示装置は、例えば、必要な情報を前もって表示しておくことができる。
【００２９】
本発明の第３の観点によれば、以下の構成の管理サーバが提供される。即ち、この管理サーバは、受信部と、記憶部と、表示情報決定部と、送信部と、を備える。前記受信部は、情報を表示する複数の情報表示装置から、当該情報表示装置の周囲の状況を示す状況情報を受信する。前記記憶部は、前記受信部が受信した前記状況情報を、送信元の情報表示装置と対応付けて記憶する。前記表示情報決定部は、前記記憶部の記憶内容に基づいて、情報表示装置の周囲状況取得部が取得した前記状況情報に基づいて、別の情報表示装置の位置を考慮しつつ、当該別の情報表示装置に表示する表示情報を決定する。前記送信部は、前記表示情報決定部が決定した情報を情報表示装置に送信する。前記周囲状況取得部の少なくとも１つは、アクセスポイント装置である。前記表示情報決定部は、情報表示装置に設けられた前記アクセスポイント装置に接続中の端末数又は前記アクセスポイント装置による通信の混雑状況に基づいて、別の情報表示装置が表示する表示情報を決定する。
【００３０】
これにより、複数の情報表示装置の周囲の状況に応じて、情報表示装置に表示させる内容を変更することができる。従って、情報表示装置は、例えば、必要な情報を前もって表示しておくことができる。
【００３１】
本発明の第４の観点によれば、以下の情報表示方法が提供される。即ち、この情報表示方法は、複数の情報表示装置の表示部に情報を表示するための方法であって、状況取得工程と、通信工程と、表示情報決定工程と、表示工程と、を含む。前記状況取得工程では、情報表示装置に設けられた周囲状況取得部により、周囲の状況である状況情報を取得する。前記通信工程では、前記状況取得工程で取得した前記状況情報を送信する。前記表示情報決定工程では、複数の情報表示装置が取得した前記状況情報に基づいて、情報表示装置の前記周囲状況取得部が取得した前記状況情報に基づいて、別の情報表示装置の位置を考慮しつつ、当該別の情報表示装置の前記表示部に表示する表示情報を決定する。前記表示工程では、前記表示情報決定工程で決定した情報を表示する。前記状況取得工程では、情報表示装置に設けられたアクセスポイント装置に接続中の端末数又は前記アクセスポイント装置による通信の混雑状況を取得する。前記表示情報決定工程では、前記状況取得工程で取得した情報に基づいて、当該アクセスポイント装置が設けられた情報表示装置とは別の情報表示装置が表示する表示情報を決定する。
【００３２】
これにより、情報表示装置は、物理的に離れた位置（他の情報表示装置の設置位置）の状況に応じて、表示情報を変更することができる。従って、情報表示装置は、例えば、必要な情報を前もって表示しておくことができる。
【図面の簡単な説明】
【００３３】
【図１】本発明の一実施形態に係る情報表示システムの全体の構成を示すブロック図。
【図２】管理データベースの内容を示す図。
【図３】情報表示システムで行われる処理の流れを示すシーケンス図。
【図４】変形例に係る情報表示システムの全体の構成を示すブロック図。
【発明を実施するための形態】
【００３４】
次に、図面を参照して本発明の実施の形態を説明する。図１は、本発明の一実施形態に係る情報表示システムの全体の構成を示すブロック図である。
【００３５】
情報表示システム１は、図１に示すように、複数の情報表示装置１２と、当該情報表示装置１２に表示する情報等を管理する管理サーバ１５と、で構成される。情報表示システム１を構成する各装置は、インターネット１４を介して接続されている。なお、図１には、情報表示装置１２が３つ表示されているが、実際にはより多くの情報表示装置１２を含んで情報表示システム１が構成されるものとする。なお、各情報表示装置１２は、物理的に離れた位置に配置されるものとする。例えば、屋外と屋内、同一建物内の異なるフロア、同一フロア内の異なる位置等にそれぞれ配置される。また、各情報表示装置１２のディスプレイの大きさは同じであっても良いし、異なっていても良い。
【００３６】
情報表示システム１を運営する業者（以下、広告業者）は、広告主と契約し、情報表示装置１２に広告を表示する。広告業者は、広告主の指示や周囲の状況（客の人数、温度、天気等）に基づいて、情報表示装置１２に表示する広告を変更する。また、広告業者は、情報表示装置１２に表示した広告の内容、及び、情報表示装置１２の周囲の状況等を広告主へ提供する。なお、情報表示装置１２の周囲の状況には、周囲にいる人の数等が含まれるので、広告主は、広告がどれくらいの人に見られているかをある程度把握することができる。
【００３７】
以下、情報表示装置１２について説明する。
【００３８】
情報表示装置１２は、図１に示すように、装置ＩＤ記憶部２１と、周囲状況取得部（アクセスポイント装置２２ａ等）と、通信部２３と、表示部２４と、を備える。
【００３９】
装置ＩＤ記憶部２１は、情報表示装置１２の装置ＩＤを記憶する。装置ＩＤは、情報表示装置１２毎に一意に定められている。管理サーバ１５は、この装置ＩＤにより情報表示装置１２を識別することができる。
【００４０】
周囲状況取得部は、情報表示装置１２毎に設けられ、周囲の状況である状況情報を取得する。本実施形態では、周囲状況取得部として、アクセスポイント装置２２ａ、カメラ２２ｂ、及び温度計２２ｃが採用されている（図１を参照）。また、本実施形態は、１つの情報表示装置１２がそれぞれ１つの周囲状況取得部を備える構成であるが、１つの情報表示装置１２が複数の周囲状況取得部を備えていても良い。
【００４１】
アクセスポイント装置２２ａには、ＳＳＩＤ及びパスワード（以下、接続情報と称する）が設定されている。また、利用者は、例えばインターネット接続を提供する業者と契約することにより（又は広告を閲覧することにより）、接続情報を入手することができる。これにより、利用者は、入手した接続情報を、ノートパソコン及びスマートフォン等の通信端末１１を操作して入力することで、通信端末１１をアクセスポイント装置２２ａに接続することができる。これにより、利用者は、例えばＷｅｂページ１６へアクセスして、所定の情報を取得することができる。
【００４２】
また、アクセスポイント装置２２ａは、アクセスポイント装置２２ａに接続中の通信端末１１の数（即ち利用者数）や、アクセスポイント装置２２ａによる通信の混雑状況等を状況情報として取得する。この状況情報により、例えば、情報表示装置１２が設置される場所の近傍の人数等を検出することができる。
【００４３】
カメラ２２ｂは、周囲を撮影可能であるとともに、当該撮影により得られた画像を解析することができる。これにより、カメラ２２ｂは、情報表示装置１２の周りにいる人の人数や性別等を状況情報として取得できる。また、カメラ２２ｂは、雨が降っていることや、夕焼けが見え始めたこと等を状況情報として取得することができる。
【００４４】
温度計２２ｃは、周囲の温度（気温）を状況情報として取得する。
【００４５】
通信部２３は、管理サーバ１５と情報の送受信を行うことができる。例えば、通信部２３は、情報表示装置１２の装置ＩＤとともに、周囲状況取得部が取得した状況情報を管理サーバ１５へ送信する。また、通信部２３は、管理サーバ１５から、情報表示装置１２に表示させる情報（表示情報）を受信する。
【００４６】
表示部２４は、管理サーバ１５から受信した表示情報に基づいて画像や映像等を表示する。表示部２４に指示される表示情報としては、商品名等を表示して具体的な商品をアピールする広告、購買意欲を向上させるための情報（飲料水を飲んでいる動画等）、及び、状況情報に基づいて得られる情報（雨が降った等）が考えられる。
【００４７】
次に、管理サーバ１５について説明する。図１に示すように、管理サーバ１５は、受信部３１と、表示情報決定部３２と、記憶部３３と、送信部３４と、通知部３５と、を備える。
【００４８】
受信部３１は、情報表示装置１２から装置ＩＤとともに状況情報を受信する。
【００４９】
表示情報決定部３２は、受信部３１が受信した状況情報及び当該状況情報が取得された位置等に基づいて、各情報表示装置１２の表示情報を決定する。なお、表示情報決定部３２が決定する表示情報は、情報表示装置１２の設置位置や環境、ディスプレイの大きさ等に応じて情報表示装置１２毎に異なる。なお、表示情報決定部３２が表示情報を決定する方法の詳細については後述する。
【００５０】
記憶部３３は、図２に示す管理情報データベース３３ａを記憶する。管理情報データベース３３ａには、情報表示装置１２の装置ＩＤと、情報表示装置１２が取得した状況情報と、情報表示装置１２の表示情報と、で構成される。また、管理情報データベース３３ａには、情報表示装置１２の位置を含めても良い。
【００５１】
送信部３４は、前記表示情報決定部３２が決定した表示情報を情報表示装置１２へ送信する。
【００５２】
通知部３５は、情報表示装置１２が取得した状況情報と、情報表示装置１２の表示情報と、を広告主に通知する。具体的には、情報表示装置１２の表示情報が変更されたときに、通知部３５が変更内容を通知する構成である。上記の他にも、通知を行うタイミングとしては、例えば、広告主の要求に応じて、所定時間毎、及び管理情報データベース３３ａが更新されたとき等、様々なタイミングが考えられる。また、通知部３５は、情報表示装置１２の表示情報だけでなく、状況情報も併せて通知する構成であっても良い。
【００５３】
次に、情報表示システム１で行われる処理の流れについて具体例を挙げつつ説明する。図３は、情報表示システム１で行われる処理の流れを示すシーケンス図である。
【００５４】
初めに、管理情報データベース３３ａが更新されるときについて説明する。情報表示装置１２は、装置ＩＤとともに、周囲状況取得部が取得した状況情報を管理サーバ１５へ送信する（シーケンス番号１）。状況情報を送信するタイミングとしては、例えば、所定時間毎、周囲状況取得部が取得する状況情報が更新されたとき、管理サーバ１５が要求したとき等が考えられる。
【００５５】
そして、情報表示装置１２から状況情報を受信した管理サーバ１５は、装置ＩＤと対応付けて記憶している状況情報を更新する（シーケンス番号２）。これにより管理サーバ１５は、情報表示装置１２の周りの人数や天候等をリアルタイムに把握することができる。
【００５６】
次に、情報表示装置１２の表示情報を変更するときの流れについて説明する。管理サーバ１５は、管理情報データベース３３ａに基づいて、それぞれの情報表示装置１２の表示情報が適切であるかを判断する。そして、表示情報を変更した方が良いと判断した場合（状況にマッチしていない広告が流れている場合）、表示情報決定部３２は、管理情報データベース３３ａに基づいて、情報表示装置１２の表示情報を決定する（シーケンス番号３）。
【００５７】
以下、管理情報データベース３３ａに基づいて情報表示装置１２の表示情報を決定する方法について具体的に説明する。例えば、カメラ２２ｂを備える情報表示装置１２が屋外に配置され、他の情報表示装置１２が屋内に配置された状況を考える。この状況において、表示情報決定部３２は、カメラ２２ｂから取得した状況情報等に基づいて雨が降ったことを把握した場合、雨が降ったことを示す情報と、傘の広告と、を屋内に設置された情報表示装置１２（特に傘売場の近傍に配置された情報表示装置１２）に表示させる表示情報として決定する。従って、屋内に設置された情報表示装置１２であっても、降雨時に傘の広告を表示することができる。一方、表示情報決定部３２は、店舗で傘を取り扱っていることを示す広告を、屋外に設置された情報表示装置１２に表示させる表示情報として決定する。
【００５８】
また、温度計２２ｃを備える情報表示装置１２が屋外に配置される状況において、例えば気温が低い（前日に比べて大きく下がった）場合に、使い捨てカイロ等の広告を屋内に配置される情報表示装置１２に表示させる表示情報として決定することも考えられる。また、気温が高い場合に、冷却ジェルシートや飲料水等の広告を表示情報として決定することも考えられる。このように、情報表示装置１２に表示させる表示情報は、当該情報表示装置１２の位置を考慮して決定される。
【００５９】
また、表示部２４の設置位置や、表示部２４の表示領域の大きさに基づいて、表示情報を異ならせても良い。例えば、気温が高い場合、屋外に配置される大型ディスプレイに飲料水を飲んでいる画像を表示情報として周囲の人の気を引くとともに、店内に配置される小型のディスプレイには飲料水の販売場所や具体的な製品を表示情報として、周囲の人を誘導することができる。
【００６０】
更には、状況情報を取得した位置に基づいて、表示情報を変更しても良い。例えば、周囲状況取得部によって、店舗の所定のフロアの人数が多いことが検出された場合、表示情報決定部３２は、このフロアにいる人が興味を持ちそうな広告を出入口に配置された情報表示装置１２の表示情報として決定することができる。これにより、効果的に広告を表示することができる。また、例えば、周囲状況取得部によって、コンサート会場の近傍の人が一気に増加したこと（即ちコンサートが終わったこと）が検出された場合、表示情報決定部３２は、バスやタクシー等の交通手段に関する広告や、食事に関する広告を、コンサート会場近傍の情報表示装置１２の表示情報として決定することができる。
【００６１】
表示情報決定部３２は、上記のようにして表示情報を決定した後に、決定した表示情報を情報表示装置１２へ送信する（シーケンス番号４）。この表示情報を受信した情報表示装置１２は、受信内容に基づいて表示情報を変更する（シーケンス番号５）。
【００６２】
また、本実施形態では、屋内外の情報表示装置１２に飲料水に関する広告を表示した場合、表示情報が切り替わったので、通知部３５は、その旨を広告主に通知する（シーケンス番号６）。これにより、広告主の指示により、飲料水に関する売場を拡張したり、目立つところで飲料水の臨時販売を行ったりして、表示情報に対応することができる。
【００６３】
これにより、広告とリアルタイムに連動した販売が実現できるので、広告の効果を向上させることができる。
【００６４】
また、通知部３５は、状況情報を広告主に通知する。状況情報には、アクセスポイント装置２２ａやカメラ２２ｂが取得した利用者数及び周囲の人の数が含まれているので、広告主は、広告がどれくらい見られているかをある程度見積もることができる。また、広告主は、これらの状況情報に基づいて混雑状況を把握し、当該混雑状況を営業店舗に通知することで、多数の客に対応する準備を前もって行うことができる。
【００６５】
次に、上記実施形態の変形例について説明する。なお、以下の変形例の説明において、上記実施形態と同一又は類似の構成については、上記実施形態と同一の符号を付して説明を省略する。図４は、変形例に係る情報表示システム１ａを示す図である。
【００６６】
上記実施形態では、管理サーバを含んで構成される情報表示システム１を説明したが、本変形例の情報表示システム１ａは、管理サーバ１５を含まない構成である。情報表示装置１２の表示情報を決定する処理は、当該情報表示装置１２に設けられた表示情報決定部２５によって行われる。そのため、本変形例では、情報表示装置１２の通信部２３が必要に応じて状況情報を送受信する構成である。従って、例えば本変形例の通信部２３は、状況情報を送信するだけでなく、状況情報を受信する処理も行う。
【００６７】
なお、本変形例は、データベースを作成せずに、状況情報を情報表示装置１２同士で送受信する構成である。従って、上記実施形態は、管理サーバ１５に障害が発生しただけで情報表示システム１を利用できなくなるのに対し、本変形例では、仮にある情報表示装置１２に障害が発生した場合であっても、情報表示システム１を維持できる。従って、本変形例の情報表示システム１ａは、障害に強い構成を実現している。
【００６８】
以上に説明したように、情報表示システム１は、複数の情報表示装置１２を含んで構成され、アクセスポイント装置２２ａ等の周囲状況取得部と、通信部２３と、表示情報決定部３２と、表示部２４と、を備える。周囲状況取得部は、各情報表示装置１２に設けられ、周囲の状況である状況情報を取得する。通信部２３は、各情報表示装置１２に設けられ、周囲状況取得部が取得した状況情報を管理サーバ１５へ送信する。表示情報決定部３２は、管理サーバ１５等に設けられ、複数の情報表示装置が取得した状況情報に基づいて、各情報表示装置１２が表示する表示情報を決定する。表示部２４は、情報表示装置１２に設けられ、表示情報決定部３２が決定した情報を表示する。
【００６９】
これにより、情報表示装置１２は、物理的に離れた位置（他の情報表示装置１２の設置位置）の状況に応じて、表示情報を変更することができる。従って、情報表示装置１２は、例えば今後に想定される状況に応じた情報を前もって表示しておくことができる。
【００７０】
以上に本発明の好適な実施の形態を説明したが、上記の構成は例えば以下のように変更することができる。
【００７１】
ある情報表示装置１２が管理サーバとしても機能する構成とし、表示情報決定部及び管理情報データベースを記憶する構成であっても良い。
【００７２】
周囲状況取得部は、上記で示した構成に限られず、例えばタッチパネル等を用いても良い。タッチパネルは、利用者のタッチ操作に基づいて、どの情報が利用者に関心が高いかという情報を状況情報として取得する。
【００７３】
状況情報及び表示部の大きさだけでなく、時刻に基づいて表示情報を変更しても良い。例えば、１５時になったタイミングで、デザートに関する広告を表示情報として情報表示装置１２に表示させることができる。
【符号の説明】
【００７４】
１  情報表示システム
１１  通信端末
１２  情報表示装置
１３  インターネット
１５  管理サーバ
２３  通信部
２２ａ  アクセスポイント装置（周囲状況取得部）
２２ｂ  カメラ（周囲状況取得部）
２２ｃ  温度計（周囲状況取得部）
３１  受信部
３２  表示情報決定部
３３  記憶部
３４  送信部
３５  通知部
【図１】
0006053094.tif 000002
【図２】
0006053094.tif 000003
【図３】
0006053094.tif 000004
【図４】
0006053094.tif 000005